(57)【要約】【課題】ＣＲＴ基準のビデオ信号をＬＣＤパネルに合わせて変形してディスプレイさせるインターレーススキャン方式ビデオ信号補償方法及び装置を提供する。【解決手段】本発明に係るインターレーススキャン方式ビデオ信号補償方法及び装置は、インターレーススキャン方式ビデオ信号の第１フィールドの所定のデータ（２６３番目データ）の後部及び第２フィールドの所定のデータ（２３番目データ）の前部を第１及び第２メモリに各々格納する。各フィールドの等化パルス区間を通じて現在受信されるビデオ信号が第１または第２フィールド信号であるかを判別する。現在受信されるビデオ信号が前記第１フィールド信号である場合、データラインが始まる２３番目ラインの前部を第２メモリから第１フィールドのデータにコピーし、第２フィールド信号である場合、データラインが終わる２６３番目の後部を第１メモリから第２フィールドのデータに格納する。【選択図】図６
2005236949.tif 000002
【特許請求の範囲】
【請求項１】
（ａ）インターレーススキャン方式ビデオ信号の第１フィールドのデータ区間中の最終番目のデータの後部及び第２フィールドのデータ区間中の１番目のデータの前部を、それぞれ第１及び第２メモリに格納するステップ；
（ｂ）各フィールドの等化パルス区間を通じて現在受信されるビデオ信号が前記第１フィールド信号であるのか、又は第２フィールド信号であるのかを判別するステップ；
（ｃ）前記第１及び第２フィールド信号のデータラインの数をカウントするステップ；
（ｄ）前記データラインが第１フィールドに属している場合には、第２メモリに格納された前記１番目のデータを第１フィールドのデータ区間中の１番目のデータの前部にコピーし、第１フィールドのデータ区間中の最終番目のデータの後部を第１メモリに格納するステップ；
（ｅ）前記データラインが第２フィールドに属している場合には、第２フィールドのデータ区間中の１番目のデータの前部を第２メモリに格納し、第１メモリに格納された前記最終番目のデータを第２フィールドの最終番目のデータの後部にコピーするステップを含むことを特徴とするインターレーススキャン方式ビデオ信号補償方法。
【請求項２】
前記ビデオ信号がＮＴＳＣ方式である場合、前記１番目のデータは２３番目のデータを示し、前記最終番目のデータは２６３番目のデータを示すことを特徴とする請求項１記載のインターレーススキャン方式ビデオ信号補償方法。
【請求項３】
前記ビデオ信号がＰＡＬ方式である場合、前記１番目のデータは２３番目のデータを示し、前記最終番目のデータは３１３番目のデータを示すことを特徴とする請求項１記載のインターレーススキャン方式ビデオ信号補償方法。
【請求項４】
インターレーススキャン方式ビデオ信号を処理して水平同期信号及び補償されたビデオ信号を出力するデコーダ；
前記デコーダにより処理された前記インターレーススキャン方式ビデオ信号の第１フィールドの所定番目データの後部及び第２フィールドの所定番目データの前部をそれぞれ格納する第１及び第２メモリ；
前記デコーダにより処理された前記インターレーススキャン方式ビデオ信号の水平データラインに含まれた水平同期の数をカウントしてカウント信号を出力するカウンタ；
各フィールドの第１の所定のラインデータ及び第２の所定のラインデータの中のフォーリングエッジ信号が何時入ったかを検出して、現在受信されるビデオ信号が第１フィールド信号であるのか、又は第２フィールド信号であるのかを判別し、前記カウンタからの前記カウント信号に基づいて、第１フィールドが受信される時点に前記第２メモリに格納された第２フィールドの所定番目のデータの前部を前記デコーダにより処理された前記インターレーススキャン方式ビデオ信号の第１フィールドに追加し、前記デコーダにより処理された前記インターレーススキャン方式ビデオ信号の第２フィールドの所定番目のデータが受信される時、前記第１メモリに格納された第１フィールドの所定番目のデータを前記第２フィールドに追加する制御部を含むことを特徴とするインターレーススキャン方式ビデオ信号補償装置。
【請求項５】
前記第１及び第２メモリは、前記デコーダにより処理された前記インターレーススキャン方式ビデオ信号の第１フィールドのデータ区間中の最終番目データの後部及び第２フィールドのデータ区間中の１番目データの前部をそれぞれ格納することを特徴とする請求項４記載のインターレーススキャン方式ビデオ信号補償装置。
【請求項６】
前記制御部は、各フィールドの第３ラインデータ及び第３．５ラインデータ中、フォーリングエッジ信号が何時入るかによって、現在受信されるビデオ信号が第１フィールド信号であるのか、又は第２フィールド信号であるのかを判別し、前記第３ラインデータ及び第３．５ラインデータからフォーリングエッジ信号が各々入った場合、前記インターレーススキャン方式ビデオ信号が各々第１及び第２フィールドであると判断することを特徴とする請求項４記載のインターレーススキャン方式ビデオ信号補償装置。
【発明の詳細な説明】
【技術分野】
【０００１】
本発明は、インターレーススキャン方式ビデオ信号補償方法及び装置に関し、より詳細には、ＣＲＴ基準のインターレーススキャン方式のデータを第１、第２のフィールドに供給される２つのデータに分けて、第１フィールドの足りないデータ及び第２フィールドの足りないデータをそれぞれ人為的に補って液晶表示装置（ｌｉｑｕｉｄ  ｃｒｙｓｔａｌ  ｄｉｓｐｌａｙ  ：  ＬＣＤ）パネルをディスプレイするインターレーススキャン方式ビデオ信号補償方法及び装置に関する。
【背景技術】
【０００２】
従来のＣＲＴ（ブラウン管）方式のディスプレイ方法では、インターレーススキャン方式（飛越し走査方式）を基にしてＮＴＳＣ（ｎａｔｉｏｎａｌ  ｔｅｌｅｖｉｓｉｏｎ  ｓｔａｎｄａｒｄ  ｃｏｍｍｉｔｔｅｅ）方式を適用する国家では５２５ラインのデータラインを使用し（例えば、特許文献１参照）、ＰＡＬ（ｐｈａｓｅ  ａｌｔｅｒｎａｔｉｏｎ  ｂｙ  ｌｉｎｅ）方式を適用する国家では６２５ラインのデータラインを使用して映像を伝送する。
【０００３】
このようなインターレーススキャン方式とは、ＣＲＴの特徴を活かすために採用されているものである。インターレーススキャン（ｉｎｔｅｒｌａｃｅｄ  ｓｃａｎ）とは、電子銃が１画面のデータを１行置きに斜めに画面を走査し、次に先に走査しなかった残りのデータを走査する方式である。図１は、従来のインターレーススキャン方式を示す図である。図２は、従来のインターレーススキャンのＬＣＤ表現方法を示す図である。図３は、従来のインターレーススキャンの第１フィールドデータを示す図である。図４は、従来のインターレーススキャンの第２フィールドデータを示す図である。この走査方式では、１行置きに走査を行わなければならないし、若干斜めにしなければならないので、最初データと最終データとは画面の一端から他端までを完璧に走査することができない。これを解決するために、互いに画面の端部を補うために、最初データと最終データは半分だけが供給される。そこで、ＣＲＴ概念から出発した映像データは、最初と最後のデータラインは半分のデータしか有していないので２で割り切ることができず、これを足して総データラインは奇数となる。
【０００４】
しかし、このような走査方式をＬＣＤにそのまま適用するには若干の問題がある。ＬＣＤではデータ走査方式が斜めに走査することができず、１画面を２つのフィールドに分けて具現するＣＲＴとは異り、ＬＣＤは１フィールドで１画面を具現しなければならない。ここから生じる問題は、ＬＣＤにインターレーススキャン方式のデータをそのままディスプレイさせると、最初のフレームの最初のラインはそのラインの半分だけデータが存在し、次のフレームの最初のラインは全データが存在するから、最初のフレームと次のフレームのデータが同時にディスプレイする場合、最初のラインのデータは視覚的には最初のフレームの最初のラインのデータ、或いは次のフレームの最初のラインのいずれのデータをも反映しない映像を表す。同様に、最終ラインのデータも１番目のフレームと２番目のフレームを同時にディスプレイすることにより、結果的に異なる映像が見えるという問題がある。このような問題は画像を表示する場合、ビューイング領域の縮小をもたらし、ＥＧＡ級の解像度（３１２＊２３４）の２３４ラインが固定されるという問題がある。
【特許文献１】特公平４−３１５１号公報
【発明の開示】
【発明が解決しようとする課題】
【０００５】
本発明は、上記の問題を解決するために案出したもので、ＣＲＴ基準型のビデオ信号をＬＣＤパネルに合わせて変形してディスプレイさせることによりＬＣＤパネルに適合した形態の映像で、視覚的に安定にディスプレイすることができるインターレーススキャン方式ビデオ信号補償方法及び装置を提供することを目的とする。
【課題を解決するための手段】
【０００６】
前記目的を達成するために、本発明に係るインターレーススキャン方式ビデオ信号補償方法は、（ａ）インターレーススキャン方式ビデオ信号の第１フィールドのデータ区間中の最終番目のデータの後部及び第２フィールドのデータ区間中の１番目おデータの前部を、第１及び第２メモリに各々格納するステップ；（ｂ）各フィールドの等化パルス区間（各フィールドを認識する区間）を通じて現在受信されるビデオ信号が第１フィールド信号であるのか、又は第２フィールド信号であるのかを判別するステップ；（ｃ）前記第１及び第２フィールド信号のデータラインの数をカウントするステップ；（ｄ）前記データラインが第１フィールドに属している場合には、第２メモリに格納された前記第１番目のデータを第１フィールドのデータ区間中の１番目のデータの前部にコピーし、第１フィールドのデータ区間中の最終番目のデータの後部を第１メモリに格納するステップ；（ｅ）前記データラインが第２フィールドに属している場合には、第２フィールド区間中の１番目のデータの前部を第２メモリに格納し、第１メモリに格納された前記最終番目の後部にコピーするステップを含むことを特徴とする。
【０００７】
また、本発明に係るインターレーススキャン方式ビデオ信号補償装置は、インターレーススキャン方式ビデオ信号を処理して水平同期信号及び補償されたビデオ信号を出力するデコーダ；前記デコーダにより処理された前記インターレーススキャン方式ビデオ信号の第１フィールドの所定番目のデータの後部及び第２フィールドの所定番目のデータの前部をそれぞれ格納する第１及び第２メモリ；前記デコーダにより処理された前記インターレーススキャン方式ビデオ信号の水平データラインに含まれた水平同期の数をカウントしてカウント信号を出力するカウンタ；各フィールドの第１の所定のラインデータ及び第２の所定のラインデータの中のフォーリングエッジ信号が何時入ったかを検出して、現在受信されるビデオ信号が第１フィールド信号であるのか、又は第２フィールド信号であるのかを判別し、前記カウンタからの前記カウント信号に基づいて、第１フィールドが受信される時点に前記第２メモリに格納された第２フィールドの所定番目のデータの前部を前記デコーダにより処理された前記インターレーススキャン方式ビデオ信号の第１フィールドに追加し、前記デコーダにより処理された前記インターレーススキャン方式ビデオ信号の第２フィールドの所定番目のデータが受信される時、前記第１メモリに格納された第１フィールドの所定番目のデータを前記第２フィールドに追加する制御部を含むことを特徴とする。
【発明の効果】
【０００８】
以上、説明したように、本発明は既存のＣＲＴ基準の映像信号をＬＣＤパネルに適合するように変形してディスプレイ空間上に最大の映像効果が得られる方法であり、既存のＥＧＡ級解像度（３１２＊２３４）をＥＧＡ＋級解像度（３１２＊２４０）までディスプレイすることができる長所を有する。
【発明を実施するための最良の形態】
【０００９】
以下、図面を参照しながら本発明を詳細に説明する。
先ず、本発明は５２５本のラインを有するＮＴＳＣ信号を基準とする。実際のＮＴＳＣインターレーススキャンのビデオデータは、データが存在する区間は２３番目から２６３番目までのデータラインであり、残りの前区間のデータは同期区間として使用され、その中で１番目から９番目までに等化パルス区間（ｅｑｕａｌｉｚｉｎｇ  ｐｕｌｓｅ  ｐｅｒｉｏｄ）が存在する。このようなインターレーススキャンのデータを受け取ってＬＣＤパネルでより効率的にディスプレイするために種々の要件が必要である。
図５は、本発明の実施の形態に係るインターレーススキャンビデオ信号補償装置の構成を示すブロック図である。インターレーススキャンビデオ信号補償装置は、デコーダ２０２、第１メモリ２０４、第２メモリ２０６、カウンタ２０８及び制御部２１０を含む。
【００１０】
デコーダ２０２は、インターレーススキャン方式ビデオ信号を処理して水平同期信号及び補償されたビデオ信号を出力する。第１メモリ２０４は、デコーダ２０２により処理されたインターレーススキャン方式ビデオ信号の第１フィールドの２６３番目データの後部を格納する。第２メモリ２０６は、デコーダ２０２により処理されたインターレーススキャン方式のビデオ信号の第２フィールドの２３番目データの前部を格納する。カウンタ２０８は、デコーダ２０２により処理されたインターレーススキャン方式のビデオ信号の水平データラインに含まれた水平同期の数をカウントしてカウント信号を制御部２１０に出力する。
【００１１】
制御部２１０は、各フィールドの等化パルス区間である第３ラインデータ及び第３．５ラインデータのフォーリングエッジ信号（ｆａｌｌｉｎｇ  ｅｄｇｅ  ｓｉｇｎａｌ）を検出して、現在受信されるビデオ信号が第１フィールド信号であるのか、第２フィールド信号であるかを判別する。図３は、本発明の実施の形態に係るインターレーススキャンの第１フィールドデータを示す図面である。図４は、本発明の実施の形態に係るインターレーススキャンの第２フィールドデータを示す図面である。図３に示すように、制御部２１０は３番目のデータラインからフォーリングエッジ信号が入ると第１フィールドと認識することになる。図４に示すように、制御部２１０は３番目のデータラインからハイが入り、３．５番目のデータラインからフォーリングエッジ信号が入ると第２フィールドと認識する。
【００１２】
制御部２１０は、カウンタ２０８からのカウント信号に基づいて第１フィールドが受信される時点に第２メモリ２０６に格納された第２フィールドの２３番目データの前部をデコーダ２０２により処理されたインターレーススキャン方式ビデオ信号の第１フィールドに追加し、第２フィールドの２６３番目のデータが受信される時、第１メモリ２０４に格納された第１フィールドの２６３番目のデータをデコーダ２０２により処理されたインターレーススキャン方式ビデオ信号の第２フィールドに追加する。これによって、デコーダ２０２はＬＣＤディスプレイに適合する補償されたビデオ信号を出力する。
【００１３】
以下、本発明の実施の形態に係るインターレーススキャン方式ビデオ信号補償装置の動作を説明する。
制御部２１０は、３番目のデータラインからフォーリングエッジ信号が入ると、１番目のフィールド信号と認識することになる。その際、２３番目のラインのデータが初めの半分のデータ（０．５Ｈ、Ｈは水平データライン）がないままに入る。そして、次のフィールドでは３番目のデータラインからハイが入り、３．５番目のデータラインからフォーリングエッジ信号が入る。その際、２３番目のラインのデータは正常に全て入るが、２６３番目のラインでは初めの半分にはデータがあるが、残りの半分のデータはないままで入る。２番目のフィールドの２３番目の前部のデータと、１番目のフィールドの２６３番目の後部のデータは、それぞれ第１メモリ２０４及び第２メモリ２０６に格納される。その後、格納されている２番目のフィールドの２３番目の前部のデータを１番目のフィールドの２３番目の前部のないデータにコピーし、格納されている１番目のフィールドの２６３番目の後部のデータを２番目のフィールドの２６３番目の後部のないデータにコピーして、全てのフィールドに全ての区間でデータが存在するようにするのである。前述したように、１番目のフィールドと２番目のフィールドとを区別することは、各フィールドの３番目ラインのデータと３．５番目ラインのデータの中で、何時フォーリングエッジであるかを認識すればよく、２３番目ラインのデータと２６３番目ラインのデータの認識方法は、全ての水平データラインには常に基準同期信号が添加されているので、カウンタ２０８により水平同期信号の数をカウントすれば常に認識することができる。
【００１４】
以下、本発明に係るインターレーススキャン方式ビデオ信号補償方法を図６ないし図９を参照しながら説明する。ここで、図６は、本発明の実施の形態に係るインターレーススキャン方式ビデオ信号補償方法を説明するフロー図であり、図７は、本発明の実施の形態に係るデータコピー領域を示す図であり、図８は、本発明の実施の形態に係るＬＣＤパネルにおけるデータコピー領域を示す図であり、図９は、本発明の実施の形態に係る飛越し走査方式のＬＣＤ表現方法を示す図である。
【００１５】
ステップＳ２０１において、制御部２１０は、インターレーススキャン方式ビデオ信号の第１フィールドの２６３番目データの後部及び第２フィールドの２３番目データの前部を第１及び第２メモリ（５０４及び５０６）に各々格納する。制御部２１０は各フィールドの第３ラインデータ及び第３．５ラインデータの中、フォーリングエッジ信号が何時入ったかによって、現在受信されるビデオ信号が第１フィールド信号であるかを判別する（ステップＳ２０２）。ステップＳ２０２の判別結果、現在受信されるビデオ信号が第１フィールド信号である場合、データラインが第２３ラインであるかを判別する（ステップＳ２０３）。
【００１６】
ステップＳ２０３の判別結果、データラインが第２３ラインである場合、制御部２１０は図７及び図８に示すように第２メモリ２０６に格納された第２フィールドの２３番目データの前部を第１フィールドのデータにコピーする（ステップＳ２０４）。
ステップＳ２０３の判別結果、データラインが第２３ラインでない場合、データラインが第２６３ラインであるかを判別する（ステップＳ２０５）。ステップＳ２０５の判別結果、データラインが第２６３ラインである場合、制御部２１０は図７に示すように、第２６３ラインの０．５Ｈ以後のデータを第２メモリ２０６に格納する（ステップＳ２０６）。
ステップＳ２０２の判別結果、現在受信されるビデオ信号が第１フィールド信号でない場合、第２フィールド信号であると判別し、データラインが第２３ラインであるかを判別する（ステップＳ２０７）。ステップＳ２０７の判別結果、前記データラインが前記第２３ラインである場合、制御部２１０は第２３ラインの０．５Ｈだけのデータを第１メモリ２０４に格納する（ステップＳ２０８）。
【００１７】
ステップＳ２０７の判別結果、データラインが第２３ラインでない場合、制御部２１０はデータラインが第２６３ラインであるかを判別する（ステップＳ２０９）。ステップＳ２０９の判別結果、データラインが第２６３ラインである場合、０．５Ｈ時間が経過した後、図７に示すように第１メモリ２０４に格納された第１フィールドの２６３番目データの後部を第２フィールドのデータにコピーする（ステップＳ２１０）。
このような方法によれば、初めと終わりのデータは捨てることなく画像をディスプレイする場合に、５２５のデータラインの全てのデータが利用でき、既存のＥＧＡ級解像度（３１２＊２３４）を更新したＥＧＡ＋級解像度（３１２＊２４０）までディスプレイ可能にすることができる。
【００１８】
上記説明では、本発明の望ましい実施の形態として５２５ラインのＮＴＳＣ信号を基準として説明したが、本発明は上記の実施の形態に限定されるものではない。例えば、６２５ラインのＰＡＬ信号でも適用可能であり、ＰＡＬは１つのフィールドが３１３ラインからなるので、終わりのデータ区間のみ２６３から３１３に入れ替えれば可能であり、特許請求の範囲の技術的思想の範囲内で、当業者であれば多様な変形が可能である。
【図面の簡単な説明】
【００１９】
【図１】従来の飛越し走査方式を示す図である。
【図２】従来の飛越し走査方式のＬＣＤ表現方法を示す図である。
【図３】従来のインターレーススキャンの第１フィールドデータを示す図である。
【図４】従来のインターレーススキャンの第２フィールドデータを示す図である。
【図５】本発明の実施の形態に係るインターレーススキャン方式ビデオ信号補償装置の構成を示すブロック図である。
【図６】本発明の実施の形態に係るインターレーススキャン方式ビデオ信号補償方法を説明するフロー図である。
【図７】本発明の実施の形態に係るデータコピー領域を示す図である。
【図８】本発明の実施の形態に係るＬＣＤパネルにおけるデータコピー領域を示す図である。
【図９】本発明の実施の形態に係る飛越し走査方式のＬＣＤ表現方法を示す図である。
【符号の説明】
【００２０】
２０２      デコーダ
２０４      第１メモリ
２０６      第２メモリ
２０８      カウンタ
２１０      制御部
【図１】
2005236949.tif 000003
【図２】
2005236949.tif 000004
【図３】
2005236949.tif 000005
【図４】
2005236949.tif 000006
【図５】
2005236949.tif 000007
【図６】
2005236949.tif 000008
【図７】
2005236949.tif 000009
【図８】
2005236949.tif 000010
【図９】
2005236949.tif 000011